(57)【特許請求の範囲】
【請求項１】
ＵＭＴＳシステムのＨＳＤＰＡサービスにおけるＨＳ−ＳＣＣＨの送信電力を制御する方法であって、前記ＨＳ−ＳＣＣＨは、部分１と部分２とに区分されたサブフレームの制御情報を送信し、前記部分１は、前記ＨＳ−ＳＣＣＨにおける共通の内容を送信し、前記部分２は、特定の端末のための情報を送信し、端末の電力制御命令によって前記部分１および前記部分２の送信電力が差別的に制御され、前記部分１の送信電力は、ＣＰＩＣＨの送信電力に対する第１パワーオフセット（ＰＯ）値により制御され、前記部分２の各スロットの送信電力は、ＤＬ  ＤＰＣＨの各スロットに対する第２パワーオフセット（ＰＯ）値により制御される、方法。
【請求項２】
前記部分１の送信電力は、前記ＣＰＩＣＨの送信電力に対するパワーオフセットとして決定される、請求項１に記載の方法。
【請求項３】
前記部分１の送信電力は、前記ＣＰＩＣＨの送信電力に前記第１ＰＯ値を加算することによって得られる値として決定される、請求項１に記載の方法。
【請求項４】
前記部分２の送信電力は、前記ＤＬ  ＤＰＣＨの送信電力に対するパワーオフセットとして決定される、請求項１に記載の方法。
【請求項５】
前記第２ＰＯ値は、前記ＤＬ  ＤＰＣＨの三つのスロットのうちの一つのスロットと相対的である、請求項１に記載の方法。
【請求項６】
前記部分２の各スロットの送信電力は、前記ＤＬ  ＤＰＣＨに対応するスロットの送信電力に前記第２ＰＯ値を加算することによって決定される、請求項１に記載の方法。
【請求項７】
前記部分２の各スロットの送信電力は、前記ＤＬ  ＤＰＣＨの三つのスロットのうちの一つのスロットの送信電力に前記第２ＰＯ値を加算することによって決定される、請求項１に記載の方法。
【請求項８】
前記部分２の各スロットの送信電力は、所定スロットの間の前記ＤＬ  ＤＰＣＨの平均送信電力に前記第２ＰＯ値を加算することによって決定される、請求項７に記載の方法。
【請求項９】
ＵＭＴＳシステムのＨＳＤＰＡサービスにおけるＨＳ−ＳＣＣＨの送信電力を制御する方法であって、
端末から電力制御情報を受信するステップと、
前記受信された電力制御情報によってＤＬ  ＤＰＣＨおよびＣＰＩＣＨの送信電力を設定するステップと、
前記設定されたＣＰＩＣＨの送信電力に対する第１パワーオフセット（ＰＯ）値と、前記設定されたＤＬ  ＤＰＣＨの送信電力に対する第２パワーオフセット（ＰＯ）値とを利用することによって、各端末に送信されるＨＳ−ＳＣＣＨの送信電力を決定するステップと、
を含み、
前記電力制御情報は、前記ＨＳ−ＳＣＣＨにおける共通の内容を送信する部分１と、特定の端末のための情報を送信する部分２とに区分され、
前記第１ＰＯ値は、前記部分１の送信電力を制御し、前記第２ＰＯ値は、前記部分２の送信電力を制御する、方法。
【請求項１０】
前記部分１の送信電力は、前記ＣＰＩＣＨの送信電力に前記第１ＰＯ値を加算することによって得られる値である、請求項９に記載の方法。
【請求項１１】
前記第２ＰＯ値は、前記ＤＬ  ＤＰＣＨの三つのスロットのうちの一つのスロットに対するパワーオフセット値である、請求項９に記載の方法。
【請求項１２】
前記部分２の各スロットの送信電力は、前記ＤＬ  ＤＰＣＨに対応するスロットの送信電力に前記第２ＰＯ値を加算することによって決定される、請求項９に記載の方法。
【請求項１３】
前記部分２の各スロットの送信電力は、前記ＤＬ  ＤＰＣＨの三つのスロットのうちの一つのスロットの送信電力に前記第２ＰＯ値を加算することによって決定される、請求項９に記載の方法。
【請求項１４】
前記部分２の各スロットの送信電力は、所定スロットの間の前記ＤＬ  ＤＰＣＨの平均送信電力に前記第２ＰＯ値を加算することによって決定される、請求項９に記載の方法。
【請求項１５】
基地局からＨＳ−ＳＣＣＨを通して送信された制御情報に基づいて端末がＨＳ−ＤＳＣＨを通して使用者データを受信するＵＭＴＳシステムのＨＳＤＰＡサービスにおいてＨＳ−ＳＣＣＨの送信電力を制御する方法であって、前記制御情報は、前記ＨＳ−ＳＣＣＨにおける共通の内容を送信する部分１と、特定の端末のための情報を送信する部分２とに区分され、一つの端末に専用のＤＬ  ＤＰＣＨの電力制御と全ての端末に共通のＣＰＩＣＨの電力制御とに基づいて、前記ＨＳ−ＳＣＣＨの１サブフレームを構成する前記部分１および前記部分２の送信電力を各端末に合うように差別的に制御し、前記部分１の送信電力は、前記ＣＰＩＣＨの送信電力に対する第１パワーオフセット（ＰＯ）値により制御され、前記部分２の各スロットの送信電力は、前記ＤＬ  ＤＰＣＨの各スロットに対する第２パワーオフセット（ＰＯ）値により制御される、方法。
【請求項１６】
前記部分１の送信電力は、前記ＣＰＩＣＨの送信電力に対するパワーオフセットとして決定される、請求項１５に記載の方法。
【請求項１７】
前記部分１の送信電力は、前記ＣＰＩＣＨの送信電力に前記第１ＰＯ値を加算することによって決定される、請求項１５に記載の方法。
【請求項１８】
前記部分２の送信電力は、前記ＤＬ  ＤＰＣＨの送信電力に対するパワーオフセットとして決定される、請求項１５に記載の方法。
【請求項１９】
前記第２ＰＯ値は、前記ＤＬ  ＤＰＣＨの三つのスロットのうちの一つのスロットに対するパワーオフセット値である、請求項１５に記載の方法。
【請求項２０】
前記部分２の各スロットの送信電力は、前記ＤＬ  ＤＰＣＨに対応するスロットの送信電力に前記第２ＰＯ値を加算することによって決定される、請求項１５に記載の方法。
【請求項２１】
前記部分２の各スロットの送信電力は、前記ＤＬ  ＤＰＣＨの三つのスロットのうちの一つのスロットの送信電力に前記第２ＰＯ値を加算することによって決定される、請求項１５に記載の方法。
【請求項２２】
前記部分２の各スロットの送信電力は、所定スロットの間の前記ＤＬ  ＤＰＣＨの平均送信電力に前記第２ＰＯ値を加算することによって決定される、請求項１５に記載の方法。
【発明の詳細な説明】
【０００１】
【発明の属する技術分野】
本発明は、移動通信システムのＨＳＤＰＡ（Ｈｉｇｈ  Ｓｐｅｅｄ  ｄｏｗｎｌｉｎｋ  ｐａｃｋｅｔ  ａｃｃｅｓｓ）に係るもので、詳しくは、ＨＳ−ＳＣＣＨ（Ｓｈａｒｅｄ  ｃｏｎｔｒｏｌ  ｃｈａｎｎｅｌ  ｆｏｒ  Ｈｉｇｈ  Ｓｐｅｅｄ  Ｄｏｗｎｌｉｎｋ  Ｓｈａｒｅｄ  Ｃｈａｎｎｅｌ）の電力制御方法に関するものである。
【０００２】
【従来の技術】
３ＧＰＰ（Ｔｈｉｒｄ  ｇｅｎｅｒａｔｉｏｎ  ｐａｒｔｎｅｒｓｈｉｐ  ｐｒｏｊｅｃｔ）の無線システムは、高速のパケットデータサービスを支援するため、高速ダウンリンク共有チャンネル（Ｈｉｇｈ  ｓｐｅｅｄ  ｄｏｗｎｌｉｎｋ  ｓｈａｒｅｄ  ｃｈａｎｎｅｌ：ＨＳ−ＤＳＣＨ）を提案している。該ＨＳ−ＤＳＣＨは、３ＧＰＰの標準中、高速ダウンリンクパケットアクセス（Ｈｉｇｈ  ｓｐｅｅｄ  ｄｏｗｎｌｉｎｋ  ｐａｃｋｅｔ  ａｃｃｅｓｓ：ＨＳＤＰＡ）を規定するリリース（Ｒｅｌｅａｓｅ）５システムで使用される。
【０００３】
ＨＳ−ＤＳＣＨは、既存の３ＧＰＰ  Ｒｅｌｅａｓｅ  ９９／Ｒｅｌｅａｓｅ４のＷ−ＣＤＭＡシステムと異なって、伝送時間周期（Ｔｒａｎｓｍｉｓｓｉｏｎ  ｔｉｍｅ  ｉｎｔｅｒｖａｌ：ＴＴＩ）（３  ｓｌｏｔ、２  ｍｓ）を使用する。従って、ＨＳ−ＤＳＣＨは、２ｍｓのサブフレーム（ｓｕｂ−ｆｒａｍｅ）毎に相互相違な使用者に高速の使用者データを伝送するように考案され、高いデータ伝送率（ｄａｔａ  ｒａｔｅ）を支援するため、多様な変調コードセット（Ｍｏｄｕｌａｔｉｏｎ  ｃｏｄｅ  ｓｅｔ：ＭＣＳ）を使用する。
【０００４】
端末（＝ＵＥ）がＨＳ−ＤＳＣＨを通して使用者データを受信するためには、ＨＳ−ＤＳＣＨのための共有制御チャンネル（Ｓｈａｒｅｄ  Ｃｏｎｔｒｏｌ  Ｃｈａｎｎｅｌ  ｆｏｒ  ＨＳ−ＤＳＣＨ：ＨＳ−ＳＣＣＨ）及び専用物理チャンネル（Ｄｅｄｉｃａｔｅｄ  ｐｈｙｓｉｃａｌ  ｃｈａｎｎｅｌ：ＤＰＣＨ）が構成されなければならない。
【０００５】
物理チャンネルのＨＳ−ＳＣＣＨは、ＨＳ−ＤＳＣＨチャンネルを支援するためのダウンリンク共通制御チャンネルの一種（Ｔｙｐｅ）である。前記チャンネルは、高速の使用者データを伝送するＨＳ−ＤＳＣＨを端末が受信し得るようにＵＥ  ＩＤと関連した制御情報（ＨＳ−ＤＳＣＨ  ｒｅｌａｔｅｄ  ｃｏｎｔｒｏｌ  ｉｎｆｏｒｍａｔｉｏｎ）を伝送するのに使用される。端末は、ＨＳ−ＳＣＣＨをモニターリングして自身が受信するデータがあるかを把握した後、ＵＥＩＤと関連した制御情報を利用してＨＳ−ＤＳＣＨを通して伝送される使用者データを受信する。この時、ＵＥ  ＩＤと関連した制御情報は、ＨＳ−ＳＣＣＨの各フレーム（２ｍｓ）毎に伝送され、前記制御情報は、ＨＳ−ＤＳＣＨを伝送するセルが属するＮｏｄｅ  Ｂ（基地局）で生成し、ＨＳ−ＳＣＣＨを通して端末に伝送される。
【０００６】
前記ＨＳ−ＳＣＣＨを通して伝送される制御情報は、大きくＴＦＲＩ（Ｔｒａｎｓｐｏｒｔ  ｆｏｒｍａｔ  ａｎｄ  ｒｅｓｏｕｒｃｅ  ｒｅｌａｔｅｄ  ｉｎｆｏｒｍａｔｉｏｎ）とＨＡＲＱ関連情報とに区分される。ＴＦＲＩは、ＨＳ−ＤＳＣＨ  ＴＴＩの間のチャンネル化コードセット（ｃｈａｎｎｅｌｉｚａｔｉｏｎ  ｃｏｄｅ  ｓｅｔ）、変調技法（ｍｏｄｕｌａｔｉｏｎ  ｓｃｈｅｍｅ）及び伝送ブロックセットサイズ（ｔｒａｎｓｐｏｒｔ  ｂｌｏｃｋ  ｓｅｔ  ｓｉｚｅ）＋伝送チャンネル識別者（ｔｒａｎｓｐｏｒｔ  ｃｈａｎｎｅｌ  ｉｄｅｎｔｉｔｙ）等を包含して、前記ＨＡＲＱ関連情報は、ブロック番号（Ｂｌｏｃｋ  ｎｕｍｂｅｒ）、リダンダンシーバージョン（Ｒｅｄｕｎｄａｎｃｙ  ｖｅｒｓｉｏｎ）のような情報を包含する。以外にも、ＨＳ−ＳＣＣＨを通してＵＥ  ＩＤ（ＵＥ  ｉｄｅｎｔｉｆｉｃａｔｉｏｎ）が伝送される。
【０００７】
一つのＨＳＰＤＡの伝送のために、一つのＵＥに必要なダウンリンクチャンネルは、ａｓｓｏｃｉａｔｅｄ  ＤＰＣＨ、ＨＳ−ＳＣＣＨ及びＨＳ−ＤＳＣＨなどがある。ＵＭＴＳ無線接続網（ＵＴＲＡＮ）は、一つのセルに複数のＨＳ−ＳＣＣＨを構成する（ｃｏｎｆｉｇｕｒｅ）ことができるが、図５に示したように、一つのＵＥに割当し得るＨＳ−ＳＣＣＨの最大個数は、四つである。
【０００８】
ＨＳ−ＳＣＣＨとＨＳ−ＤＳＣＨの伝送タイミングは、図６に示したように、先ず、タウンリンク（ＤＬ）ＤＰＣＨが伝送され、ＨＳ−ＳＣＣＨを通して制御情報が伝送された後、最後にＨＳ−ＤＳＣＨを通してデータが伝送される。ＵＥは、ＨＳ−ＳＣＣＨを通して伝送される制御情報を利用してＨＳ−ＤＳＣＨデータを復旧する。
【０００９】
上記のように、ＨＳＤＰＡ技術で提案されたＨＳ−ＤＳＣＨを通して相互相違な使用者に高速の使用者データをサービスする場合、ＨＳ−ＳＣＣＨは、一つのセルに少なくとも一つ以上設定（ｃｏｎｆｉｇｕｒｅ）される。特に、ＨＳＤＰＡ端末が多い場合には、一つのセルに複数のＨＳ−ＳＣＣＨが設定されないと、效率的にデータサービスを提供することができない。
【００１０】
ＨＳ−ＳＣＣＨを通して伝送される制御情報の構成においては、図７に示したように、ＨＳ−ＳＣＣＨの制御情報は、共通された内容を伝達する部分１と特定端末のための情報を伝達する部分２とに区分される。前記部分１には、ＴＦＲＩのチャンネル化コードセット（ｃｈａｎｎｅｌｉｚａｔｉｏｎ  ｃｏｄｅ  ｓｅｔ）及び変調技法（ｍｏｄｕｌａｔｉｏｎ  ｓｃｈｅｍｅ）等が包含され、部分２には、ＴＦＲＩの伝送ブロックセットサイズ、伝送チャンネル識別者及びＨＡＲＱ関連情報が包含される。
【００１１】
従来のＨＳ−ＳＣＣＨの送信電力制御方法は、図８に示したように、前記ＨＳ−ＳＣＣＨの部分１と部分２との送信電力は、同様な電力制御方式又は同様な電力オフセットにより制御される。
【００１２】
例えば、図９に示したように、部分１と部分２との送信電力は、ＤＬ  ＤＰＣＨの各スロットの送信電力と前記ＰＯ値（ＰＯ）とを加算して決定される。
【００１３】
前記ＰＯ値は、チャンネル環境によって変更されることがある。例えば、ａｓｓｏｃｉａｔｅｄ  ＤＰＣＨがソフトハンドオーバーされると、既存に設定されたＰＯ値は他のＰＯ値に変更される。
【００１４】
【発明が解決しようとする課題】
然るに、このような従来の方式においては、１サブフレーム（ａ  ｓｕｂ−ｆｒａｍｅ）ＨＳ−ＳＣＣＨの１サブ−フレームを構成する部分１及び部分２に同様な電力方法を適用した。従来方式は、共通された内容を伝達する部分１と特定端末のための情報を伝達する部分２とが同様に電力制御するために、セル間（Ｉｎｔｅｒ−ｃｅｌｌ）干渉を高めて、基地局電力を非効率的に使用するという不都合な点があった。
【００１５】
本発明は、このような従来の課題に鑑みてなされたもので、ＨＳ−ＳＣＣＨの電力を制御し得るＨＳ−ＳＣＣＨの送信電力制御方法を提供することを目的とする。
【００１６】
又、部分１と部分２とに差別的な電力制御を適用してセル間干渉を減らして基地局の電力を效率的に使用し得るＨＳ−ＳＣＣＨの送信電力制御方法を提供することを目的とする。
【００１７】
又、ＤＬ  ＤＰＣＨチャンネル及び共通パイロットチャンネル（Ｃｏｍｍｏｎｐｉｌｏｔ  ｃｈａｎｎｅｌ：ＣＰＩＣＨ）を利用したＨＳ−ＳＣＣＨの送信電力制御方法を提供することを目的とする。
【００１８】
又、サブフレーム（ａ  ｓｕｂ−ｆｒａｍｅ）の間ＨＳ−ＳＣＣＨの送信電力を一定に維持するためのＨＳ−ＳＣＣＨの送信電力制御方法を提供することを目的とする。
【００１９】
【課題を解決するための手段】
本発明のＨＳ−ＳＣＣＨの送信電力制御方法は、部分１と部分２とに区分されたサブフレームの制御情報を端末に伝送するＨＳ−ＳＣＣＨ（Ｓｈａｒｅｄ  ｃｏｎｔｒｏｌ  ｃｈａｎｎｅｌ  ｆｏｒ  ｈｉｇｈ  ｓｐｅｅｄ  ｄｏｗｎｌｉｎｋ  ｓｈａｒｅｄ  ｃｈａｎｎｅｌ）において、端末の電力制御命令によってＨＳ−ＳＣＣＨの部分１と部分２との送信電力を差別的に制御する過程から構成されたことを特徴とする。
【００２０】
本発明のＨＳ−ＳＣＣＨの送信電力制御方法は、前記部分１の送信電力は、ＣＰＩＣＨの送信電力に対するパワーオフセットで決定されることを特徴としてもよい。
【００２１】
本発明のＨＳ−ＳＣＣＨの送信電力制御方法は、前記部分１の送信電力は、ＣＰＩＣＨの送信電力に対する相対的第１パワーオフセット（ＰＯ）値により制御されることを特徴としてもよい。
【００２２】
本発明のＨＳ−ＳＣＣＨの送信電力制御方法は、前記部分１の送信電力は、ＣＰＩＣＨの送信電力に第１ＰＯを加算した値で決定されることを特徴としてもよい。
【００２３】
本発明のＨＳ−ＳＣＣＨの送信電力制御方法は、前記部分２の送信電力は、ＤＬ  ＤＰＣＨの送信電力に対するパワーオフセットで決定されることを特徴としてもよい。
【００２４】
本発明のＨＳ−ＳＣＣＨの送信電力制御方法は、前記部分２の各スロットの送信電力は、ＤＬ  ＤＰＣＨの各スロットに対した相対的第２パワーオフセット（ＰＯ）値により制御されることを特徴としてもよい。
【００２５】
本発明のＨＳ−ＳＣＣＨの送信電力制御方法は、前記第２ＰＯ値は、ＤＬ  ＤＰＣＨの三つのストット中、何れか一つのスロットに対する相対的ＰＯ値であることを特徴としてもよい。
【００２６】
本発明のＨＳ−ＳＣＣＨの送信電力制御方法は、前記部分２の各スロットの送信電力は、ＤＬ  ＤＰＣＨに対応する各スロットの送信電力に第２ＰＯ値を加算して決定されることを特徴としてもよい。
【００２７】
本発明のＨＳ−ＳＣＣＨの送信電力制御方法は、前記部分２の各スロットの送信電力は、ＤＬ  ＤＰＣＨの三つのストット中、何れか一つのスロットの送信電力に第２ＰＯ値を加算して決定されることを特徴としてもよい。
【００２８】
本発明のＨＳ−ＳＣＣＨの送信電力制御方法は、前記部分２の各スロットの送信電力は、所定スロットの間のＤＬ  ＤＰＣＨの平均送信電力に第２ＰＯ値を加算して決定されることを特徴としてもよい。
【００２９】
本発明のＨＳ−ＳＣＣＨの送信電力制御方法は、端末から電力制御情報を受信する過程と、該受信された電力制御情報によってＤＬ  ＤＰＣＨ（ｄｏｗｎｌｉｎｋ  ｄｅｄｉｃａｔｅｄ  ｐｈｙｓｉｃａｌ  ｃｈａｎｎｅｌ）及びＣＰＩＣＨの送信電力を設定する過程と、該設定されたＣＰＩＣＨ及びＤＬ  ＤＰＣＨの送信電力に対する相対的第１、第２パワーオフセット（ＰＯ）値を利用し、各端末に伝送されるＨＳ−ＳＣＣＨの送信電力を決定する過程と、を順次行うことを特徴としてもよい。
【００３０】
本発明のＨＳ−ＳＣＣＨの送信電力制御方法は、前記第１ＰＯ値は、ＨＳ−ＳＣＣＨで共通された内容を伝達する部分１の送信電力を決定し、第２ＰＯ値は特定端末のための情報を伝達する部分２の送信電力を決定することを特徴としてもよい。
【００３１】
本発明のＨＳ−ＳＣＣＨの送信電力制御方法は、前記部分１の送信電力は、ＣＰＩＣＨの送信電力に第１ＰＯ値を加算した値であることを特徴としてもよい。
【００３２】
本発明のＨＳ−ＳＣＣＨの送信電力制御方法は、前記第２ＰＯ値は、ＤＬ  ＤＰＣＨの三つのストット中、何れか一つのスロットに対する相対的パワーオフセット値であることを特徴としてもよい。
【００３３】
本発明のＨＳ−ＳＣＣＨの送信電力制御方法は、前記部分２の各スロットの送信電力は、ＤＬ  ＤＰＣＨに対応する各スロットの送信電力に第２ＰＯ値を加算して決定されることを特徴としてもよい。
【００３４】
本発明のＨＳ−ＳＣＣＨの送信電力制御方法は、前記部分２の各スロットの送信電力は、ＤＬ  ＤＰＣＨの三つのストット中、何れか一つのスロットの送信電力に第２ＰＯ値を加算して決定されることを特徴としてもよい。
【００３５】
本発明のＨＳ−ＳＣＣＨの送信電力制御方法は、前記部分２の各スロットの送信電力は、所定スロットの間のＤＬ  ＤＰＣＨの平均送信電力に第２ＰＯ値を加算して決定されることを特徴としてもよい。
【００３６】
本発明のＨＳ−ＳＣＣＨの送信電力制御方法は、基地局でＨＳ−ＳＣＣＨを通して伝送された制御情報に基づいてＨＳ−ＤＳＣＨを通して伝送された使用者データを受信するＵＭＴＳシステムのＨＳＤＰＡサービスにおいて、各端末毎に構成されるＤＬ  ＤＰＣＨと全ての端末に同様に伝送されるＣＰＩＣＨの電力制御に基づいて、ＨＳ−ＳＣＣＨの１サブフレーム（ａ  ｓｕｂ−ｆｒａｍｅ）を構成する部分１と部分２との送信電力を各端末に合うように差別的に調節することを特徴とする。
【００３７】
本発明のＨＳ−ＳＣＣＨの送信電力制御方法は、前記部分１の送信電力は、ＣＰＩＣＨの送信電力に対するパワーオフセットで決定されることを特徴としてもよい。
【００３８】
本発明のＨＳ−ＳＣＣＨの送信電力制御方法は、前記部分１の送信電力は、ＣＰＩＣＨの送信電力に対する相対的第１パワーオフセット（ＰＯ）値により制御されることを特徴としてもよい。
【００３９】
本発明のＨＳ−ＳＣＣＨの送信電力制御方法は、前記部分１の送信電力は、ＣＰＩＣＨの送信電力に第１ＰＯ値を加算して決定されることを特徴としてもよい。
【００４０】
本発明のＨＳ−ＳＣＣＨの送信電力制御方法は、前記部分２の送信電力は、ＤＬ  ＤＰＣＨの送信電力に対するパワーオフセットで決定されることを特徴としてもよい。
【００４１】
本発明のＨＳ−ＳＣＣＨの送信電力制御方法は、前記部分２の各スロットの送信電力は、ＤＬ  ＤＰＣＨの各スロットに対する相対的第２パワーオフセット（ＰＯ）値により制御されることを特徴としてもよい。
【００４２】
本発明のＨＳ−ＳＣＣＨの送信電力制御方法は、前記第２ＰＯ値は、ＤＬ  ＤＰＣＨの三つのストット中、何れか一つのスロットに対する相対的パワーオフセット値であることを特徴としてもよい。
【００４３】
本発明のＨＳ−ＳＣＣＨの送信電力制御方法は、前記部分２の各スロットの送信電力は、ＤＬ  ＤＰＣＨに対応する各スロットの送信電力に第２ＰＯ値を加算して決定されることを特徴としてもよい。
【００４４】
本発明のＨＳ−ＳＣＣＨの送信電力制御方法は、前記部分２の各スロットの送信電力は、ＤＬ  ＤＰＣＨの三つのストット中、何れか一つのスロットの送信電力に第２ＰＯ値を加算して決定されることを特徴としてもよい。
【００４５】
本発明のＨＳ−ＳＣＣＨの送信電力制御方法は、前記部分２の各スロットの送信電力は、所定スロットの間のＤＬ  ＤＰＣＨの平均送信電力に第２ＰＯ値を加算して決定されることを特徴としてもよい。
【００４６】
このような目的を達成するため、本発明に係るＨＳ−ＳＣＣＨの送信電力制御方法は、部分１と部分２とに区分された１サブフレーム（ａ  ｓｕｂ−ｆｒａｍｅ）１サブフレーム（ａ  ｓｕｂ−ｆｒａｍｅ）の制御情報を端末に伝送するＨＳ−ＳＣＣＨ（Ｓｈａｒｅｄ  ｃｏｎｔｒｏｌ  ｃｈａｎｎｅｌ  ｆｏｒ  ＨＳ−ＤＳＣＨ）において、端末の電力制御命令によってＨＳ−ＳＣＣＨの部分１と部分２との送信電力を差別的に決定する過程から構成される。
【００４７】
好ましくは、前記部分１の送信電力は、ＣＰＩＣＨ（Ｃｏｍｍｏｎ  ｐｉｌｏｔ  ｃｈａｎｎｅｌ）の送信電力に対するパワーオフセットで決定され、部分２の送信電力はＤＬ  ＤＰＣＨの送信電力に対するパワーオフセットで決定されることを特徴とする。
【００４８】
好ましくは、前記部分１の送信電力は、ＣＰＩＣＨの送信電力に対する相対的第１パワーオフセット（ＰＯ）値により制御され、部分２の送信電力はＤＬ  ＤＰＣＨの各スロットに対した相対的第２パワーオフセット（ＰＯ）値により制御されることを特徴とする。
【００４９】
好ましくは、前記部分１の送信電力は、ＣＰＩＣＨの送信電力に第１ＰＯを加算した値で決定されることを特徴とする。
【００５０】
好ましくは、前記第２ＰＯ値は、ＤＬ  ＤＰＣＨの三つのストット中、何れか一つのスロットに対した相対的ＰＯ値である。
【００５１】
好ましくは、前記部分２の各スロットの送信電力は、ＤＬ  ＤＰＣＨに対応される各スロットの送信電力に第２ＰＯ値を加算して決定することを特徴とする。
【００５２】
好ましくは、前記部分２の各スロットの送信電力は、ＤＬ  ＤＰＣＨの三つのストット中、何れか一つのスロットの送信電力に第２ＰＯ値を加算して決定される。
【００５３】
好ましくは、前記部分２の送信電力は、所定スロットの間のＤＬ  ＤＰＣＨの平均送信電力に第２ＰＯ値を加算して決定されることを特徴とする。
【００５４】
又、本発明に係るＨＳ−ＳＣＣＨの送信電力制御方法においては、端末から電力制御命令又は情報を受信する過程と、受信された電力制御命令によってＤＬ  ＤＰＣＨ（ｄｏｗｎｌｉｎｋ  ｄｅｄｉｃａｔｅｄ  ｐｈｙｓｉｃａｌ  ｃｈａｎｎｅｌ）及びＣＰＩＣＨ（Ｃｏｍｍｏｎ  ｐｉｌｏｔ  ｃｈａｎｎｅｌ）の送信電力を設定する過程と、該設定されたＣＰＩＣＨ及びＤＬ  ＤＰＣＨの送信電力に対する相対的第１、第２パワーオフセット（ＰＯ）値を利用し、各端末に伝送されるＨＳ−ＳＣＣＨ（ｓｈａｒｅｄ  ｃｏｎｔｒｏｌ  ｃｈａｎｎｅｌ  ｆｏｒ  ＨＳ−ＤＳＣＨ）の送信電力を決定する過程と、を順次行うことを特徴とする。
【００５５】
好ましくは、前記第１ＰＯ値は、ＨＳ−ＳＣＣＨで共通された内容を伝達する部分１の送信電力を決定し、第２ＰＯ値は、特定端末のための情報を伝達する部分２の送信電力を決定することを特徴とする。
【００５６】
好ましくは、前記部分１の送信電力は、ＣＰＩＣＨの送信電力に第１ＰＯ値を加算した値で決定され、前記第２ＰＯ値は、ＤＬ  ＤＰＣＨの三つのストット中、何れか一つのスロットに対した相対的パワーオフセット値であることを特徴とする。
【００５７】
好ましくは、前記部分２の送信電力は、ＤＬ  ＤＰＣＨに対応される各スロットの送信電力に第２ＰＯ値を加算して決定されることを特徴とする。
【００５８】
好ましくは、部分２の送信電力は、ＤＬ  ＤＰＣＨの三つのストット中、何れか一つのスロットの送信電力に第２ＰＯ値を加算して決定されるか、又は所定スロットの間のＤＬ  ＤＰＣＨの平均送信電力に第２ＰＯ値を加算して決定されることを特徴とする。
【００５９】
前記のような目的を達成するため、本発明に係るＨＳ−ＳＣＣＨの送信電力制御方法は、基地局でＨＳ−ＳＣＣＨを通して伝送された制御情報に基づいて、端末がＨＳ−ＤＳＣＨを通して使用者データを受信するＵＭＴＳシステムのＨＳＤＰＡサービスにおいて、各端末毎に構成されるＤＬ  ＤＰＣＨと全ての端末に同様に伝送されるＣＰＩＣＨ（Ｃｏｍｍｏｎ  ｐｉｌｏｔ  ｃｈａｎｎｅｌ）の電力制御に基づいて、ＨＳ−ＳＣＣＨの１サブフレーム（ａ  ｓｕｂ−ｆｒａｍｅ）を構成する部分１と部分２との送信電力を各端末に合うように差別的に調節することを特徴とする。
【００６０】
好ましくは、前記部分１の送信電力は、ＣＰＩＣＨの送信電力に対するパワーオフセットで決定され、前記部分２の送信電力はＤＬ  ＤＰＣＨの送信電力に対するパワーオフセットで決定されることを特徴とする。
【００６１】
好ましくは、前記部分１の送信電力は、ＣＰＩＣＨの送信電力に対する相対的第１パワーオフセット（ＰＯ）値により制御され、前記部分２の送信電力は、ＤＬ  ＤＰＣＨの各スロットに対した相対的第２パワーオフセット（ＰＯ）値により制御されることを特徴とする。
【００６２】
好ましくは、前記部分１の送信電力は、ＣＰＩＣＨの送信電力に第１ＰＯ値を加算して決定され、前記第２ＰＯ値は、ＤＬ  ＤＰＣＨの三つのストット中、何れか一つのスロットに対した相対的パワーオフセット値であることを特徴とする。
【００６３】
好ましくは、前記部分２の送信電力は、ＤＬ  ＤＰＣＨに対応される各スロットの送信電力に第２ＰＯ値を加算して決定されることを特徴とする。
【００６４】
好ましくは、前記部分２の送信電力は、ＤＬ  ＤＰＣＨの三つのストット中、何れか一つのスロットの送信電力に第２ＰＯ値を加算して決定されるか、又は所定スロットの間のＤＬ  ＤＰＣＨの平均送信電力に第２ＰＯ値を加算して決定されることを特徴とする。
【００６５】
【発明の実施の形態】
以下、本発明の実施の形態に対し、図面を用いて説明する。
【００６６】
本発明におけるＨＳ−ＳＣＣＨの電力制御のためのＰＯ値は、ＲＮＣで生成されて基地局に伝達（ｓｅｎｄ）され、該基地局は、伝達されたＰＯ値に基づいて（ｂａｓｅｄ  ｏｎ  ｔｈｅ  ｓｅｎｔ  ＰＯ）、ＨＳ−ＳＣＣＨの部分１と部分２とに差別的な送信電力制御方法を適用（ａｐｐｌｙ）する。
【００６７】
従って、ＵＥから送信電力制御（Ｔｒａｎｓｍｉｔ  ｐｏｗｅｒ  ｃｏｎｔｒｏｌ：ＴＰＣ）命令が受信されると、基地局は、各端末毎に構成されるＤＬ  ＤＰＣＨ及び全ての端末に同様に伝送されるＣＰＩＣＨの電力制御に基づいて、ＨＳ−ＳＣＣＨの１サブフレーム（ａ  ｓｕｂ−ｆｒａｍｅ）を構成する部分１と部分２との送信電力を各端末に合うように差別的に制御する。
【００６８】
部分単位に電力を制御するための本発明に係るＨＳ−ＳＣＣＨの電力制御方法においては、図１に示したように、１サブフレーム（ａ  ｓｕｂ−ｆｒａｍｅ）のＨＳ−ＳＣＣＨで部分１と部分２との送信電力は、第１、第２ＰＯ値（ＰＯ１）、（ＰＯ２）によって独立的に制御される。前記第１ＰＯ値（ＰＯ１）は、全ての端末に同様に伝送される共通パイロットチャンネル（Ｃｏｍｍｏｎ  ｐｉｌｏｔ  ｃｈａｎｎｅｌ：ＣＰＩＣＨ）の送信電力に対する相対的パワーオフセットに定義され、前記第２ＰＯ値は、各端末毎に相違に伝送されるＤＬ  ＤＰＣＨの送信電力に対する相対的パワーオフセットに定義される。
【００６９】
従って、部分１の送信電力は、全ての端末が受信し得るように高い電力で伝送され、部分２の送信電力は、特定端末が受信可能な適正な電力で伝送される。
【００７０】
そして、前記第１、第２ＰＯ値（ＰＯ１）、（ＰＯ２）は、チャンネル環境によって変更することができる。例えば、図２に示したように、ＤＬ  ＤＰＣＨがソフトハンドオーバーされる場合、以前と相違な新しい第１、第２ＰＯ値（ＰＯ１）、（ＰＯ２）を使用することができる。
【００７１】
また、ＳＳＤＴ（Ｓｉｔｅ  Ｓｅｌｅｃｔｉｏｎ  Ｄｉｖｅｒｓｉｔｙ  Ｔｒａｎｓｍｉｔ）技術が適用される３ＧＰＰ  ＷＣＤＭＡでＨＳ−ＳＣＣＨを伝送するセルがプライマリー（ｐｒｉｍａｒｙ）であるかノンプライマリーであるかによって、又一つの新しい第１、第２ＰＯ値（ＰＯ１）、（ＰＯ２）が使用されることができる。
【００７２】
基地局は、ＵＥが伝送するＳＳＤＴ  Ｃｅｌｌ  ＩＤを利用し、ＤＰＣＨソフトハンドオーバーの与否及びソフトハンドオーバーである時、プライマリーセルの与否によって適切に第１、第２ＰＯ値を選択する。
【００７３】
このような目的でＲＮＣは、ＤＬ  ＤＰＣＨがソフトハンドオーバーであるかによる第１、第２ＰＯ値又はＨＳ−ＳＣＣＨを伝送するセルがプライマリーセルであるかによる第１、第２パワーオフセット値を基地局に伝達することができる（ｓｅｎｄ）。
【００７４】
図１の概念により具現されたＨＳ−ＳＣＣＨの送信電力制御方法においては、図２に示したように、第１ＰＯ値（ＰＯ１）は、ＣＰＩＣＨの送信電力に対する相対的ＰＯ値に定義され、第２ＰＯ（ＰＯ２）値は、ａｓｓｏｃｉａｔｅｄ  ＤＰＣＨの各スロットに対する相対的ＰＯ値で決定される。
【００７５】
従って、部分１の送信電力は、ＣＰＩＣＨの送信電力と第１ＰＯ値（ＰＯ１）とを加算した値で決定され、部分２の送信電力は、各スロット毎に内部ループ制御（ｉｎｎｅｒ  ｌｏｏｐ  ｐｏｗｅｒ  ｃｏｎｔｒｏｌ）されるＤＬ  ＤＰＣＨの各スロット（Ｎ＋１番目及びＮ＋２番目）の送信電力と第２ＰＯ（ＰＯ２）値とを夫々加算した値で決定される。この時、１  ＴＴＩの間、ＨＳ−ＳＣＣＨ部分２の送信電力は、各スロット毎に変化することができる。
【００７６】
また、部分２の第２ＰＯ値（ＰＯ２）値がＤＬ  ＤＰＣＨの各スロットに対する相対的パワーオフセットに定義される場合、第２ＰＯ値（ＰＯ２）は、各スロットの送信電力によって相互少しずつ相違に設定されることができる。
【００７７】
例えば、前記第２ＰＯ２値（ＰＯ２）は、伝送時間周期（ＨＳ−ＤＳＣＨ  ＴＴＩ  ２ｍｓ）の間、ａｓｓｏｃｉａｔｅｄ  ＤＰＣＨの三つのスロット中、何れか一つのスロットに対する相対的パワーオフセットに設定されることができる。従って、部分２の送信電力は、１  ＴＴＩの間、ＤＬ  ＤＰＣＨの特定スロットの送信電力と第２ＰＯ値（ＰＯ２）［ｄＢ］とを加算することで決定される。また、前記部分２の送信電力は、過去所定スロットの間のＤＬ  ＤＰＣＨの平均送信電力と第２ＰＯ値（ＰＯ２）とを加算して決定されることができる。
【００７８】
図３は、図１の概念により具現されたＨＳ−ＳＣＣＨの送信電力制御方法の他の実施形態であって、ＤＬ  ＤＰＣＨの２番目スロット（Ｎ＋１）の送信電力を利用して部分２の送信電力を決定する方法である。
【００７９】
図３に示したように、部分２の第２ＰＯ２値（ＰＯ２）は、ＤＬ  ＤＰＣＨの三つのスロット（Ｎ、Ｎ＋１及びＮ＋２）中、２番目のスロット（Ｎ＋１）に対する相対的パワーオフセットに設定され、部分２の送信電力は、ＤＬ  ＤＰＣＨの２番目スロットの送信電力と前記第２ＰＯ値（ＰＯ２）との加算値により決定される。
【００８０】
また、スロット単位に送信電力を制御するための本発明に係るＨＳ−ＳＣＣＨの電力制御方法の他の実施形態においては、図４に示したように、１サブフレーム（ａ  ｓｕｂ−ｆｒａｍｅ）の間ＨＳ−ＳＣＣＨの各スロットに対する電力制御を同様に遂行することで、第２チャンネルコーディング方法が適用されたスロット単位の制御を遂行することができるし、１  ＴＴＩ（２ｍｓ）の間ＨＳ−ＳＣＣＨの送信電力の変化はない。この時、三つのスロットに対する送信電力は、ＤＬ  ＤＰＣＨの三つのスロット中、何れか一つのスロットの送信電力を基準に一律的に適用される。好ましくは、前記基準されるスロットは、第１スロットでありうる。
【００８１】
即ち、ＰＯ値（ＰＯ）は、ＤＬ  ＤＰＣＣＨの第１スロット（Ｎ）の送信電力に対する相対的パワーオフセットで決定される。従って、ＨＳ−ＳＣＣＨの送信電力は、ＤＬ  ＤＰＣＣＨの第１スロット（Ｎ）の送信電力に前記ＰＯ値（ＰＯ）を加算した値で決定される。
【００８２】
又は、１  ＴＴＩの間のＨＳ−ＳＣＣＨの送信電力は、過去所定スロットの間のＤＬ  ＤＰＣＨの平均送信電力に前記ＰＯだけ加算して決定されることができる。
【００８３】
【発明の効果】
以上説明したように、本発明は、部分１と部分２とを区分してＨＳ−ＳＣＣＨの送信電力を制御することで、セル間干渉を最小化して基地局電力を效率的に使用し得るという効果がある。
【００８４】
また、本発明は、特定使用者に伝送されるＨＳ−ＳＣＣＨの部分２に対する電力制御を一定にするか、又はＨＳ−ＳＣＣＨの全てのスロットの送信電力を一定にすることで、各スロット毎に電力を制御し得ない場合に電力制御の効率を向上し得るという効果がある。
【図面の簡単な説明】
【図１】本発明に係るＨＳ−ＳＣＣＨの送信電力制御方法を示した概念図である。
【図２】図１の概念により具現されたＨＳ−ＳＣＣＨの送信電力制御方法を示した第１実施形態である。
【図３】図１の概念により具現されたＨＳ−ＳＣＣＨの送信電力制御方法の他の実施形態である。
【図４】本発明に係るＨＳ−ＳＣＣＨの送信電力制御方法の又他の実施形態である。
【図５】制御情報を伝送するためのＨＳ−ＳＣＣＨのシグナリングを示した図である。
【図６】ＨＳ−ＳＣＣＨとＨＳ−ＤＳＣＨの伝送タイミングを示した図である。
【図７】２ｍｓ（１  ＴＴＩ）の間ＨＳ−ＳＣＣＨを通して伝送される制御情報の構成を示した図である。
【図８】従来のＨＳ−ＳＣＣＨの送信電力制御方法を示した概念図である。
【図９】図８に図示されたＨＳ−ＳＣＣＨの送信電力制御方法を示した第１実施形態である。
【図１】
0004205425.tif 000002
【図２】
0004205425.tif 000003
【図３】
0004205425.tif 000004
【図４】
0004205425.tif 000005
【図５】
0004205425.tif 000006
【図６】
0004205425.tif 000007
【図７】
0004205425.tif 000008
【図８】
0004205425.tif 000009
【図９】
0004205425.tif 000010